(57)【要約】【課題】  複数枚のパネルが起立したスタッドを間にして配列し、該パネル面に説明者の影が写らないように投射することが出来るプロジェクターを備えた間仕切り装置の提供。【解決手段】  コンピュータ（パソコン）などの情報処理装置内の画像を投射するプロジェクター１４を間仕切りパネル面の上部に取付け、該プロジェクター１４からの投射画像をパネル面に映し出すことが出来る。【選択図】    図１
2014010199.tif 000002
【特許請求の範囲】
【請求項１】
建物の空間を仕切る間仕切り装置において、コンピュータなどの情報処理装置内の画像を投射するプロジェクターを間仕切りパネル面の上部に取付け、該プロジェクターからの投射画像をパネル面に映し出すことを特徴とするプロジェクターを備えた間仕切り装置。
【請求項２】
建物の壁面に面して据付ける間仕切り装置において、コンピュータなどの情報処理装置内の画像を投射するプロジェクターを間仕切りパネル面の上部に取付け、該プロジェクターからの投射画像をパネル面に映し出すことを特徴とするプロジェクターを備えた間仕切り装置。
【請求項３】
画像が映し出されるパネル面の両側及び下側に反射体を沿設し、パネル面上部には座標検出装置を取付けた請求項１、又は請求項２記載のプロジェクターを備えた間仕切り装置。
【請求項４】
上記プロジェクターはその前後位置（パネル面からの距離）及び傾きを調整可能とした請求項１、請求項２、又は請求項３記載のプロジェクターを備えた間仕切り装置。
【発明の詳細な説明】
【技術分野】
【０００１】
本発明はプロジェクターを間仕切り装置の一部に組み込んで、間仕切りパネル表面に画像を投射するようにした装置に関するものである。
【背景技術】
【０００２】
昨今、学校などの教育現場においては、コンピュータの普及により電子黒板や電子ボードを利用した授業形態が行なわれるように成っている。また、電子黒板や電子ボードをオフィス内に導入してプレゼンテーションや会議などを行う際に利用するといったコミュニケーション形態も増えてきている。
【０００３】
ところで、電子黒板や電子ボードを利用する際には、コンピュータ（パソコン）から映し出す画像情報をプロジェクターで投射する必要があるが、図１３に示すように、パソコン（イ）を設置しているテーブル（ロ）の上にプロジェクター（ハ）を置く為に、電子黒板（ニ）の前で起立して説明を行なう場合には説明者（ホ）の影が電子黒板（ニ）に写ってしまう。すなわち、プロジェクター（ハ）と電子黒板（ニ）の間に介在する説明者（ホ）が影となる。
【０００４】
近年、学会や会社内でのプレゼンテーションには、ノートパソコンの普及、投影技術の進歩等により、プレゼンテーション資料はよりカラフルになり、また写真やアニメーションが多用され、さらには３Ｄのグラフやチャートなどもインパクトを与える手段として活用され、プレゼンテーションの形態そのものを変えつつある。
【０００５】
しかし、説明者（ホ）の影が電子黒板（ニ）に映し出されるのでは、如何に立派な資料であっても影で見え難くなり、十分な説明が出来ない。そこで、説明者（ホ）は指示棒（ヘ）を持って電子黒板（ニ）に表示される画像を説明することに成るが、この指示棒（ヘ）に代えて電子ビームを照射するマーカにて所定の位置を示す方法もある。この場合、説明者（ホ）は電子黒板（ニ）に影として写らない位置に立って説明することは出来る。
【０００６】
また、プレゼンテーション用に特化したものとして、指示棒で指し示す位置をコンピュータ側に自動取得するものがある。例えば、発表者が手にもつ指示具をプロジェクター上のカメラで撮影し、カメラ画像上の指示具の位置関係からスクリーン上にマーカを表示する遠隔座標入力装置がある。他の例として、指示棒でスクリーンに接触した信号を無線送信し、この信号をスクリーン端部に設けた受信機で受信し、コンピュータでは無線信号の送信と受信タイミングの差から指示棒の位置を算出し、指示棒の位置を検出する装置がある。
【０００７】
特開２００５−２６７１４０号に係る「指示操作装置および指示操作方法」は、投影画面に対して直接的・視覚的な指示操作ができ、しかもプレゼンテーションの指示操作が簡易になる技術である。そこで、指示棒は、先端部に光感知信号を発生する受光素子を設けかつ手元位置に操作ボタンを設け、ノートパソコンは、プロジェクターを介して表示するスクリーン上にはマウスカーソルで選択・クリック可能なアイコン・ボタンをトレースし、指示棒側の操作ボタンの操作でアイコン・ボタンの表示を受光素子からの入力信号を受付け待機状態にし、入力信号を受付けたときのアイコン・ボタン位置へマウスカーソルを移動させる。
【０００８】
特表２０１１−５２３７２８号に係る「遠隔制御式ポインティング」は、プロジェクター、画像センサ、及びコントローラを備え、プロジェクターは、投射面内のある位置からシーン上に光のビームを投射する。画像センサは、取り込み面においてシーンの画像を取り込み、コントローラは、取り込んだ画像を遠隔の目的地に送信し、遠隔の目的地から取り込み面内の目標ビーム位置を受信し、取り込み面内のビームの位置を決定し、決定されたビーム位置と目標ビーム位置に基づいて投射面内の位置を変更することを含む処理を実行することが出来る。
【特許文献１】特開２００５−２６７１４０号に係る「指示操作装置および指示操作方法」
【特許文献２】特表２０１１−５２３７２８号に係る「遠隔制御式ポインティング」
【発明の開示】
【発明が解決しようとする課題】
【０００９】
このように、プロジェクターにて電子黒板に映し出される画像に説明者の影が写らないようにしている技術は色々存在している。本発明が解決しようとする課題も同じであるが、しかし従来とは全く別の方法でもって構成し、説明者は指示棒を持って電子黒板に映し出される画像を説明することが出来、そして必要に応じて電子黒板に手書きして追加説明を行なうことが出来るようにしたプロジェクターを備えた間仕切り装置を提供する。
【課題を解決するための手段】
【００１０】
本発明に係るプロジェクターを備えた間仕切り装置は、建物の空間を仕切る従来の間仕切り装置を用い、この間仕切り装置のパネル上部にプロジェクターを取付けている。該プロジェクターはパネル面から突出し、斜め下方へ投射して電子黒板となるパネル面に画像を映し出すことが出来る。ここで、パネル面から突出したプロジェクターから投射する光は間仕切り装置の正面に立つ説明者に当ることがないようにしている。
【００１１】
上記プロジェクターの具体的な構造並びに形態は問わないことにするが、パネルにはブラケットが取着され、このブラケットにプロジェクターを取付けている。また、間仕切り装置の具体的な構造並びに形態も問わないことにする。そして、該プロジェクターの下側パネル面にはデジタイザー（座標検出装置）が取付けられ、パネル面の周囲（両側と下側）には反射体を沿設している。この反射体は電子黒板であるパネル面に説明者が文字や図形など手書きする軌跡を捉え、座標検出装置にて軌跡の座標を読み取って、パネル面に所定の文字、図形を表示することが出来る。すなわち、筆記具を使って実際に書かなくてもパネル面に表示されるようにしている。
【発明の効果】
【００１２】
本発明に係るプロジェクターを備えた間仕切り装置は、間仕切りパネルにブラケットを介してプロジェクターを取付けている。その為に、該プロジェクターと電子黒板となるパネル面との間に説明者が介在することはなく、プロジェクターから投射される光は説明者によって遮られることはない。従って、説明者は電子黒板の正面に立って説明する場合、また補足説明のためにパネル面に手書きする場合も影が写ることはなく、電子黒板に映し出される画像は見やすくなる。
【００１３】
パネルにブラケットを取着し、このブラケットにプロジェクターを取付けた構造であり、本発明では部屋空間を仕切る間仕切り装置を兼用している。そしてプロジェクターの取付けは間仕切り装置の据付け工事と一貫して行なうことが出来る為に、全体的にコストも安くなる。また、画像が映し出されるパネル面は間仕切り装置の他のパネル面とほぼ同一面で仕上がられることで不要な突起物がなく、部屋の外観もよく安全である。
【００１４】
一方、部屋の天井にプロジェクターを取付けることも可能であり、また建物の壁面上部にプロジェクターを取付けることで本発明の場合と同じように説明者の影が写ること映し出される画像の説明を行うことは可能であるが、建物本体と切り離して設置される間仕切り装置にプロジェクターを組み合わせることでその取付けが容易であり、取り外すことも出来、しかも建物の壁面をキズ付けることはなく、さらに取付けコストも安くなる。
【図面の簡単な説明】
【００１５】
【図１】プロジェクターを備えた間仕切り装置の正面図。
【図２】プロジェクターを備えた間仕切り装置の背面図。
【図３】プロジェクターを備えた間仕切り装置の上部縦断面図。
【図４】プロジェクターを備えた間仕切り装置の下部縦断面図。
【図５】図１のＡ−Ａ断面拡大図。
【図６】図１のＢ−Ｂ断面拡大図。
【図７】正面中央パネルに画像を映し出すと共に、正面に説明者が立っている場合。
【図８】プロジェクターの取付け構造を示す実施例。
【図９】建物の壁面に面して据付ける片面タイプの間仕切り装置の上部断面図。
【図１０】建物の壁面に面して据付ける片面タイプの間仕切り装置の下部断面図。
【図１１】片面タイプ間仕切り装置の場合の図１のＡ−Ａ断面拡大図。
【図１２】片面タイプ間仕切り装置の場合の図１のＢ−Ｂ断面拡大図。
【図１３】プロジェクターからの画像を電子黒板に映し出す従来の装置。
【発明を実施するための形態】
【００１６】
図１はプロジェクターを備えた間仕切り装置の正面図、図２は背面図を表す実施例である。同図の１は正面中央パネル、２は正面上部パネル、３は正面下部パネル、４は背面中央パネル、５は背面上部パネル、６は背面下部パネルをそれぞれ表している。また、７は床レール、８は巾木、９は天井レールを示している。
【００１７】
そして、図３は上部側の縦断面図、図４は下部側の縦断面図をそれぞれ表しているが、床レール７は床面１０に敷設され、この床レール７の所々に配置したアジャスター１１に巾木８が適当な高さで支持され、この巾木８の上に上記正面下部パネル３と背面下部パネル６が載って起立している。そして、正面上部パネル２と背面上部パネル５は天井面１２に取付けた天井レール９にその上端が嵌って拘束されている。
【００１８】
正面上部パネル２の中央部にはブラケット１３の取付け部材１７がボルト締めにて固定され、このブラケット１３にプロジェクター１４が取付けられている。建物の部屋空間を仕切る間仕切り装置は、複数枚のパネルが垂直に起立するスタッドを間に介在して配列する構造であるが、同図に示す実施例では正面側と背面側に配列した２重構造を成し、正面側では正面下部パネル３、正面中央パネル１、正面上部パネル２が上方に積み上げ配列し、背面側では背面下部パネル６、背面中央パネル４、背面上部パネル５が上方に積み上げられて配列している。
【００１９】
ここで、背面側の背面下部パネル６、背面中央パネル４、背面上部パネル５は同一面を成して配列しているが、正面側の正面中央パネル１は背面側のパネルと接している。すなわち、正面側の正面下部パネル３、正面中央パネル１、正面上部パネル２は同一面ではなく、正面中央パネル１は背面側に後退して正面中央部は凹部空間を形成している。
【００２０】
正面上部パネル２と背面上部パネル５との間には概略コ形断面の上補強枠１５が介在して、間仕切り装置上部を補強すると共に上記ブラケット１３の取付け部材１７を取付けている。また、上補強枠１５の下側にはランマ目地１６が正面中央パネル１とスタッド２３にネジ止めにて取着されている。
このように、ブラケット１３の取付け部材１７は上記上補強枠１５にボルト締めされているが、該取付け部材１７と上補強枠１５とで正面上部パネル２を挟み込んだ状態でボルト締めして固定されている。そして、正面中央パネル１は背面側のパネルと接していて正面上部パネル２を支持していない為に、該正面上部パネル２は正面中央パネル１とスタッド２３にネジ止めしたランマ目地１６に設けている支持部１８の上縁に載って支持されている。
【００２１】
そして、アジャスター１１にて支持された巾木８には正面下部パネル３と背面下部パネル６が載置され、両パネル３，６が巾木８の上において所定の間隔を保ち、安定させるためのガイド部材１９を配置して、両側に起立した部位はパネル表面材を屈曲して形成した係止片に係止している。また、正面下部パネル３と背面下部パネル６との間には間仕切り装置の下部を補強する下補強枠２０が設けられている。
下補強枠２０の上縁には正面中央パネル１の下端が載置してネジ止めされ、また下補強枠２０に形成した係止片３３には正面下部パネル３の上端が係止している。下補強枠２０の上縁に載った正面中央パネル１は背面下部パネル６と背面中央パネル４に接して配置されている。
【００２２】
そして、下補強枠２０の取付け部２１には筆記具受け部２２が取付けられ、該筆記具受け部２２は取付け部２１に継手を介して回転可能に取付けられている。図４の実線で示す筆記具受け部２２は起立した状態を、点線は倒れて水平状態の筆記具受け部２２を示している。ここで、筆記具受け部２２の取付け構造は限定しないが一般には蝶番が用いられ、起立した場合には独りでに倒れないようにマグネットキャッチ３０が下補強枠２０の上部に取着されていて、起立した筆記具受け部２２を吸着することが出来る。
【００２３】
上記筆記具受け部２２の上端には反射体２９を沿設している。該反射体２９は正面中央パネルの両側にも沿設し、すなわち、正面中央パネル１の両側と下側の３ヶ所に反射体２９，２９，２９を沿設することで、例えば指示棒の先端で正面中央パネル１に文字や図形をなぞることで、その軌跡を後で述べる座標検出装置によって検出し、プロジェクターからその軌跡を文字や図形として写し出すことが出来る。すなわち、筆記具を使用しなくてもパネルに映し出される画像の補足説明をすることが出来る。
【００２４】
そこで、筆記具受け部２２が実線のように起立している場合には、該筆記具受け部２２の上端に沿設した反射体２９が作動するが、点線のように筆記具受け部２２を倒すならば反射体２９は作動しないようになる。この場合には、正面中央パネル１に筆記具を用いて直接文字や図形を記載する。しかし、本発明のプロジェクターを備えた間仕切り装置は、筆記具受け部２２を取付けないで構成する場合もある。また、筆記受け部２２が起立しないように取付けることもある。
【００２５】
図５は図１のＡ−Ａ断面拡大図を示している。背面中央パネル４は起立するスタッド２３と連結し、正面中央パネル１は側方へ延びる止着片が背面中央パネル４にネジ止めされている。そして、正面中央パネル１の側端とスタッド２３との間には配線空間２４が設けられ、この配線空間２４を形成する為にスタッド２３及び背面中央パネル４には縦枠２５をネジ止めして取付け、該配線空間２４には電気ケーブルを収容している。また、配線空間２４に収容した電気ケーブル及びスタッド２３の一部を被覆する為に配線空間カバー３４がネジ止めされている。
【００２６】
図６は図１におけるＢ−Ｂ断面拡大図を示している。正面下部パネル３の右側一部を切欠いてスタッド２３との間に配線収納空間２６を設け、その為に、配線収納枠２７を取付けている。そして、配線収納空間２６の正面には配線収納扉２８を開閉可能に取付けている。そこで、この配線収納空間２６からスタッド２３に沿って形成した上記配線空間２４に電気配線が収容され、上記正面上部パネル２にブラケット１３を介して取付けたプロジェクター１４と接続している。
【００２７】
また、スタッド２３に取付けた縦枠２５には反射体２９が沿設されている。この反射体２９は正面中央パネル１の正面側の両側と下縁となる筆記具受け部２２の上端に沿って設けられ、電子黒板と成る正面中央パネル１に書く文字、図形などの位置を感知し、正面中央パネル１の正面上端部に取付けた座標検出装置３１によって描かれる文字や図形を検出することが出来る。この座標検出装置３１及び反射体２９に関しては周知技術である為に詳細な説明は省略するが、筆記具を使用しないで正面中央パネル１に写し出すことが出来る。
【００２８】
勿論、本発明のプロジェクター１４を備えた間仕切り装置は、この反射体２９及び座標検出装置３１を設けないで構成する場合もある。そして、図３に示すように座標検出装置３１はその正面に点検カバー３２が取付けられて被覆されている。点検カバー３２はランマ目地１６に設けた係止片３５に係止して取付けられている。
【００２９】
図７は間仕切り装置の正面上部パネル２に取付けたプロジェクター１４から画像を投射すると共に、説明者が正面中央パネル１の前に立っている場合を示している。プロジェクター１４は正面上部パネル２に取付けられている為に、説明者の頭上に位置しており、該プロジェクター１４からの投射光は説明者の頭部に当ることなく正面中央パネル１に投射される。従って、正面中央パネル１に説明者の影が写ることはない。
【００３０】
そして、説明者は正面中央パネル１に投射されている画像の補足説明として、文字や図形を記載することも出来る。この文字や図形は正面中央パネル面に直接記載してもよいが、指示棒の先端で文字や図形をなぞることで、この動きを反射体で感知すると共に座標検出装置によって検出し、パソコンで所定の文字や図形としてプロジェクター１４から投射することが可能である。
【００３１】
すなわち、元々記録されている画像に組合せた一体画像としてプロジェクター１４から投射されて正面中央パネル１に映し出すことが出来る。説明者は正面中央パネル１の前に立って説明することが出来る為に、すなわち、説明者が正面中央パネル１から離れた位置に立って電子ビームを用いて指示する場合とは異なり、聴衆者（参加者）は理解し易くなる。
【００３２】
ところで、プロジェクター１４はブラケット１３に取付けられるが、その位置は調整されるように成っている。図８はブラケット１３にプロジェクター１４を取付けた取付け構造を示す具体例である。ブラケット１３は別部材で構成している取付け部材１７を有し、この取付け部材１７は前記図３に示しているように正面上部パネル２を挟んだ状態で上補強枠１５にボルト締めされている。
【００３３】
そして、所定の高さに固定された取付け部材１７にブラケット１３は上下方向の高さ調整が出来るように取付けられている。すなわち、ブラケット１３の両側板３６，３６には長穴３７，３７が上下方向に形成され、ブラケット１３の底に取付けた高さ調整ボルト３８，３８を回すことで、該ブラケット１３は上下動することが出来る。そして、所定の高さにて両側板３６，３６に設けた高さ固定ボルト３９，３９を締めることで固定される。
【００３４】
一方、このブラケット１３に取付けたプロジェクター１４の位置（正面中央パネル面からの水平方向距離）、及び傾きを調整可能としている。プロジェクター１４はプロジェクター取付け用ブラケット４０に吊設され、ブラケット１３の側板３６，３６には水平方向に延びる長穴４１ａ，４１ｂ・・・を形成し、この長穴４１ａ，４１ｂ・・・に沿って前後方向に移動することが出来、所定の位置で左右調整ボルト４２，４２を締めることで固定される。
【００３５】
左右調整ボルト４２，４２はプロジェクター取付け用ブラケット４０に取付けられている。また、ブラケット１３には角度調整ボルト４３，４３がプロジェクター取付け用ブラケット４０の後方側に取付けられ、角度調整ボルト４３，４３を回すならば、プロジェクター取付け用ブラケット４０の傾きが変わる。その為に、後方側の長穴４１ｂはその幅寸法（高さ寸法）が大きく成っている。このように、ブラケット１３の高さ、プロジェクター取付け用ブラケット４０の前後方向位置及び傾きを調整することで、プロジェクター１４の位置並びに傾きが調整され、プロジェクター１４からの画像を正面中央パネル１に正しく映し出すことが出来るようにしている。
【００３６】
ところで、間仕切り装置は一般的に複数枚のパネルがスタッドを介して配列し、パネル下端は床レールに配置したアジャスターにて支持される巾木の上に載り、パネル上端は天井に取付けた天井レールに嵌って止着される。しかし、本発明ではこの間仕切り装置の具体的な構造並びに形態は限定せず、建物の仕様に応じた間仕切り装置を据付け、この間仕切り装置のパネル面の上部にプロジェクターを取付けて構成している。そこで、正面側と背面側にパネルを配置した前記間仕切り装置に限らず、例えば、建物の下地壁の表面側を覆うようにパネルを配列した間仕切り装置を据付け、この間仕切り装置にプロジェクターを取付ける場合もある。
【００３７】
また、床レールや巾木を持たない間仕切り装置や天井レールを有さない間仕切り装置として構成することもある。さらには、建物壁に間口を形成して、この間口に間仕切り装置を据付けることも可能である。この場合には該間口の幅に相当する幅寸法のパネルを用い、建物壁の間口内側面には壁レール（スタッド）を取付けてパネルを連結することが出来る。
【００３８】
図９は建物の壁面に面して据付けた間仕切り装置の上部を示す実施例、図１０は建物の壁面に面して据付けた間仕切り装置の下部を示す実施例、図１１は図１のＡ−Ａ断面拡大図、図１２は図１のＢ−Ｂ断面拡大図をそれぞれ表している。この間仕切り装置は前記実施例のように背面側に位置する背面上部パネル５、背面中央パネル４、及び背面下部パネル６を有していないが、正面図は前記図１と同じである。
【００３９】
この間仕切り装置では背面側にパネルを有していない為に、建物の壁面に沿って振れ止めスタッド４４が起立し、該振れ止めスタッド４４は壁面に固定された振れ止めＬ金具４５に連結している。該振れ止めスタッド４４は正面下部パネル３と対向して巾木８に載置され、下補強枠２０は振れ止めスタッド４４にネジ止めして固定されている。
【００４０】
従って、正面側に配置される正面中央パネル１、正面上部パネル２、正面下部パネル３に関しは前記実施例の場合と同じであり、プロジェクター１４を取付けているブラケット１３の取付け構造は共通し、そしてランマ目地１６は振れ止めスタッドにネジ止めされている。また、筆記部受け部２２の取付け構造も前記実施例と同じであり、正面中央パネル１の両側にある縦枠には反射体２９，２９が沿設され、筆記具受け部２２の上端にも反射体２９を沿設している。
【符号の説明】
【００４１】
１   正面中央パネル
２   正面上部パネル
３   正面下部パネル
４   背面中央パネル
５   背面上部パネル
６   背面下部パネル
７   床レール
８   巾木
９   天井レール
10   床面
11   アジャスター
12   天井面
13   ブラケット
14   プロジェクター
15   上補強枠
16   下片
17   取付け部材
18   支持片
19   ガイド部材
20   下補強枠
21   取付け部
22   筆記具受け部
23   スタッド
24   配線空間
25   縦枠
26   配線収納空間
27   配線収納枠
28   配線収納扉
29   反射体
30   マグネットキャッチ
31   座標検出装置
32   点検カバー
33   係止片
34   配線空間カバー
35   係止片
36   側板
37   長穴
38   高さ調整ボルト
39   高さ固定ボルト
40   プロジェクター取付け用ブラケット
41   長穴
42   左右調整ボルト
43   角度調整ボルト
44   振れ止めスタッド
45   振れ止めＬ金具
【図１】
2014010199.tif 000003
【図２】
2014010199.tif 000004
【図３】
2014010199.tif 000005
【図４】
2014010199.tif 000006
【図５】
2014010199.tif 000007
【図６】
2014010199.tif 000008
【図７】
2014010199.tif 000009
【図８】
2014010199.tif 000010
【図９】
2014010199.tif 000011
【図１０】
2014010199.tif 000012
【図１１】
2014010199.tif 000013
【図１２】
2014010199.tif 000014
【図１３】
2014010199.tif 000015